(57)【要約】【課題】  高気密住宅向けと一般住宅向けの２種類の製品に適切に使用可能な反射笠構造のダウンライトを提供すること。【解決手段】  天井に設けられた取付孔周囲に密着させる枠部３、枠部３上方に配設され枠部３との間で天井材を狭持する取付バネ５を有した器具本体２と、下方に開口し、この開口周縁に前記枠部３と接合させる外向きの鍔部８を有して光源ランプを覆う筒状の反射笠６とを備えて成り、この場合に、鍔部８上面に上向きの突起８１を設け、枠部３に同突起８１と嵌合させる透孔３１を設けて器具本体２と反射笠６とを一体化してもよい。【選択図】図１
2005276703.tif 000002
【特許請求の範囲】
【請求項１】
天井に設けられた取付孔周囲に密着させる枠部、枠部上方に配設され枠部との間で天井材を狭持する取付バネを有した器具本体と、下方に開口し、この開口周縁に前記枠部と接合させる外向きの鍔部を有して光源ランプを覆う筒状の反射笠とを備えて成るダウンライト。
【請求項２】
前記鍔部上面に上向きの突起を設け、前記枠部に同突起と嵌合させる透孔を設けて器具本体と反射笠とを一体化したことを特徴とする請求項１記載のダウンライト。
【請求項３】
前記突起を、前記取付孔内側において器具本体取付時の位置決めとなるよう鍔部周方向に離間し突設させたことを特徴とする請求項１または請求項２いずれかに記載のダウンライト。
【請求項４】
前記突起を前記取付孔に沿うリブ形状とし、前記枠部を板金部材とし且つ、前記透孔を切曲げ加工して同透孔に沿って舌片を一体形成したことを特徴とする請求項３記載のダウンライト。
【発明の詳細な説明】
【技術分野】
【０００１】
本発明は、天井に埋め込み取り付けされるダウンライトに関する。
【背景技術】
【０００２】
従来より、第７図に示すように、ランプソケット１０１と高周波点灯回路等を構成する点灯回路部品を配置したプリント基板１０２を収めた金属製のケース１０３の一部に、前記ランプソケット１０１と対向する開口孔１０４を形成し、この開口孔１０４を通じて合成樹脂製の反射笠１０５の基部が前記ケース１０３内に挿入されて前記ランプソケット１０１の周囲に配置され、前記ランプソケット１０１には放電灯などの光源ランプが装着される構成の、特許第３３３０５７２号公報に開示されたダウンライト１００が提供されている。
【０００３】
このダウンライト１００は、反射笠１０５の下端縁に設けた鍔部１０６と、反射笠１０５の周面に突設された天井に設けられた取付孔へ取り付ける取付バネ１０７との間で天井材を挟持することにより、天井に固定されるようになっている。
【０００４】
この場合、反射笠１０５において下端縁に鍔部１０６が一体に設けられているので、天井裏に配設されるグラスウール等の断熱材のうちダウンライト周辺の断熱材を除去する一般施工のものでも、ある程度気密性が確保される。すなわち、断熱施工を行わない一般型の製品構成としては適している。しかし、高気密・高断熱仕様の建物に設置するにあたり天井裏全面に断熱施工をおこなった場合、天井材を挟持している取付バネ１０７の耐荷重強度が低いためにダウンライト１００を覆う断熱材の重みにより器具が下がり、上記鍔部１０６と天井との間に隙間が発生することが懸念される。すなわち、高気密型として適用したときに、気密性が維持できないことが想定される。
【０００５】
したがって、同一形状のダウンライトとして一般型と高気密型との品種展開するにあたっては、一般に、合成樹脂材料による反射笠製作のための成形用金型を２種類製作する必要があり、製品コストが上がってしまうこととなる。なお、反射笠１０５をアルミニウム製とすることも考えられるが、反射笠１０５自体の直接的な加工費がより高くなり、さらに塗装などの表面処理が必要となる。そのため、樹脂製のものと比較するとより多くの部品コストがかかるという問題があった。
【特許文献１】特許第３３３０５７２号公報
【発明の開示】
【発明が解決しようとする課題】
【０００６】
本願発明は、上記背景技術に鑑みてなされたものであり、その課題は、高気密住宅向けと一般住宅向けの２種類の製品に適切に使用可能な反射笠構造のダウンライトを提供することである。
【課題を解決するための手段】
【０００７】
上記課題を解決するために、本願発明のダウンライトは、天井に設けられた取付孔周囲に密着させる枠部、枠部上方に配設され枠部との間で天井材を狭持する取付バネを有した器具本体と、下方に開口し、この開口周縁に前記枠部と接合させる外向きの鍔部を有して光源ランプを覆う筒状の反射笠とを備えて成ることとしている。
【０００８】
そして、前記鍔部上面に上向きの突起を設け、前記枠部に同突起と嵌合させる透孔を設けて器具本体と反射笠とを一体化するのが好ましい。
【０００９】
また、前記突起を、前記取付孔内側において器具本体取付時の位置決めとなるよう鍔部周方向に離間し突設させることが好ましい。
【００１０】
また、前記突起を前記取付孔に沿うリブ形状とし、前記枠部を板金部材とし且つ、前記透孔を切曲げ加工して同透孔に沿って舌片を一体形成することが好ましい。
【発明の効果】
【００１１】
本願発明のダウンライトにおいては、器具本体に設けられている天井材を狭持する取付バネ下方において天井に設けられた取付孔周囲に密着される枠部に、光源ランプを覆う筒状の反射笠の下向き開口周縁に設けられた外向きの鍔部が接合されるようにして形成されるので、合成樹脂製の反射笠を高気密住宅向けと一般住宅向けの２種類の製品に適切に使用することができる。
【００１２】
そして、器具本体と反射笠とが、反射笠の開口周縁の外向きの鍔部上面に配設された上向きの突起と、天井に設けられた取付孔周囲に密着される枠部に設けられた透孔とが嵌合されて一体化されるようになるので、高気密住宅向けと一般住宅向けの２種類の製品を容易に形成できる。
【００１３】
また、鍔部周方向に離間させて設けられた突起が、天井に設けられた取付孔内側において器具本体取付時の位置決めとなるので、高気密住宅向けと一般住宅向けのそれぞれの製品において施工性の向上ができる。
【００１４】
また、器具本体取付時の位置決めが、天井に設けられた取付孔内側において、当該取付孔に沿うよう鍔部周方向に離間させて設けられたリブ形状の突起と嵌合される、板金部材による枠部の透孔を切曲げ加工する際にその透孔に沿い枠部に一体形成された舌片にてなされるので、位置決めがより確実となり、以って、高気密住宅向けにおいて気密性をより向上できる。
【発明を実施するための最良の形態】
【００１５】
図１〜３は、本願の請求項１乃至請求項４に対応した一実施形態であるダウンライトを示している。この実施形態のダウンライト１は、背景技術の項にて説明した放電灯などとは異なる電球形の蛍光灯を光源ランプとした高気密住宅向けのもので、図１の斜視図に示すように、天井に設けられた取付孔２０周囲に密着させる枠部３、枠部３上方に配設され枠部３との間で天井材を狭持する取付バネ５を有した器具本体２と、下方に開口し、この開口７周縁に前記枠部３と接合させる外向きの鍔部８を有して光源ランプを覆う筒状の反射笠６とを備えて成る。
【００１６】
この場合、鍔部８上面に上向きの突起８１を設け、前記枠部３に同突起８１と嵌合させる透孔３１を設けて器具本体２と反射笠６とを一体化してもいる。また、突起８１を、前記取付孔２０内側において器具本体２取付時の位置決めとなるよう鍔部８周方向に離間し突設させてもいる。
【００１７】
詳しくは、ダウンライト１は、器具本体２と、上記光源ランプを覆う筒状の反射笠６とを備えている。
【００１８】
器具本体２は、図１に示すように、鋼板製で円環状の枠部３と、同枠部３内周に一体形成された立壁３３にその基端が固着されて枠部３を横切るよう掛け渡され配設された鋼板製の本体枠４と、同本体枠４において後述する反射笠６周囲に位置する取付バネ５、５とを備えており、この場合、シリコンゴム製のソケットパッキン２１を有して上記光源ランプ（図示せず）の装着されるソケットと、同ソケットと電気的に接続されて光源ランプへ電源供給させるための端子台２２とが、後述する本体枠４の適宜箇所に設けられ構成されている。
【００１９】
枠部３は、この場合、厚さ０．６ｍｍ程度の鋼板による略円環状の板金部材で、後述する本体枠４を固着させる立壁３３をその内周縁に沿って有し、また、後述する反射笠６の鍔部８に設けられた突起８１と嵌合させ、器具本体２と反射笠６とを一体化させる透孔３１を周方向に離間し有して形成されている。透孔３１は、その大きさが突起８１の大きさに対して同じか又はやや大きく形成することが好ましく、また、図２に示すように、透孔３１を切曲げ加工し透孔３１に沿って舌片３２を一体形成することも好ましい。これにより、器具本体２を天井へ取付する際の位置決めが、図３に示すように、天井に設けられた取付孔２０内側において、当該取付孔２０に沿うよう枠部に一体形成された舌片３２にてなされることとなり、位置決めがより確実となる。なお、この枠部３には外周縁に沿ってシリコンゴム等の弾性材料によるパッキン３４が配設されており、器具本体２を天井へ取付する際の天井との気密性がより向上するようになっている。
【００２０】
本体枠４は、この場合、厚さ１ｍｍ程度の鋼板による板金部材で、図１に示すように、側面視略コ字状の基端が上記立壁３３に固着される。この本体枠４は、コ字状の連結片に、後述する筒状の反射笠６の上面を接合固着させるねじ孔４１、位置決め孔４２、４２を有し、その連結片と直交する平板部４３の一辺から垂下する垂下片４４に端子台２２が固着されている。なお、光源ランプを装着させるソケット（上述）は、この平板部４３の一端部を折曲させた折曲片（図示せず）に貫通させ固着されるようになっている。
【００２１】
取付バネ５、５は、器具本体２を天井に設けられた取付孔２０へ取り付ける際に、後述する反射笠６周囲の鍔部８との間において天井材を挟持するもので、ステンレス材料等の厚さ０．５ｍｍ程度の薄板状のばね材料にて形成されている。この取付バネ５、５は、上記本体枠４における略コ字状の対向片それぞれに設けられている略Ｔ字形状で縦長の取付調節孔４５、４５それぞれに、その長手方向に沿ってスライド自在に装着されており、天井材の厚さに応じて狭持することができるようになっている。
【００２２】
反射笠６は、ボリブチレン・テレフタレート樹脂等の耐熱性の高い合成樹脂材料にて形成された円筒体で、この筒状の下方が開口するとともに、この下方開口７周縁に上記枠部３と接合させる外向きの鍔部８を有している。また、この筒状体の側方には、反射笠６内部に向け上記光源ランプを挿通させる横穴、及び上面には、反射笠６を本体枠４のねじ孔４１にねじ固定させる固定ねじ９１を貫通させる固定孔、本体枠４との位置決め孔４２、４２に係合させる位置決め突起６１、６１が設けられている。なお、この固定ねじ９１は、ワッシャ９２が装着されて抜け止め固定されており、反射笠６の内側から上記ねじ孔４１に向け容易に固定されるようになっている。
【００２３】
鍔部８は、この場合、その上面に上向きのリブ状突起８１の４つが周方向に離間させて設けられ、上記円筒体の反射笠６と同心状に形成されている。突起８１は、この場合、器具本体２と反射笠６とを容易に一体化させるため、リブ状の側面角度が２度程度の金型による抜き勾配をもって形成されて透孔３１と確実に嵌合するようになっている。この鍔部８は、外周縁に枠部３の外周端を覆う周壁８２が全周にわたって設けられおり、また、周方向に離間させて設けられたリブ状突起８１が、天井に設けられた取付孔２０内側において器具本体２取付時の位置決めとなるので、施工性が向上ができ、高気密住宅向けの製品において気密性も確実に確保できる。（図３及び図５参照）なお、この実施例においては、突起８１をリブ状とし、また４つ設けているが、当該突起８１はこのリブ状以外に円柱状などとしたり、あるいは４つ以上の複数個設けたりしても良い。勿論、枠部３にあっても、この突起８１と嵌合させる透孔３１も４つ以上の複数個設けて枠部３を形成しても良い。
【００２４】
この実施形態のダウンライトにおいては、天井に設けられた取付孔２０へ取り付けるにあたり、図３に示すように、まず器具本体２が、本体枠４を取付孔２０へ挿入させて取付バネ５を取付調節孔４５の長手方向に沿ってスライドさせ、枠部３と取付バネ５との間で天井材を狭持させる。次いで、枠部３の内側に反射笠６の円筒部分を挿入させ、その内側から固定ねじ９１を回動させねじ孔４１に螺着させながら、反射笠６の開口７周縁の外向きの鍔部８上面に配設された上向きの突起６１と、天井に設けられた取付孔２０周囲に密着される枠部３に設けられた透孔３１とを嵌合させ、反射笠６の鍔部８と枠部３とを接合し一体化させる。その後、光源ランプとなる電球形の蛍光灯を反射笠６の開口７から器具本体２に設けられているソケットに装着させて使用することができる。
【００２５】
また、この実施例による反射笠６は、図４に示すような一般住宅向け製品のダウンライト１０に、側方に向けて張り出すように形成された取付バネ１２の装着された本体枠１１を使用してに適切に使用することができる。この本体枠１１は、厚さ１ｍｍ程度の鋼板による板金部材で、同図に示すように、側面視略コ字状の基端が反射笠６周囲を把持するように形成され、同コ字状の連結片に当該反射笠６の上面を接合固着させるねじ孔１３、位置決め孔１４、１４を有し、その連結片と直交する平板部の一辺から垂下する垂下片１５に端子台１７を一体に有するソケット１６が固着されている。なお、取付バネ１２は、図５に示すように、反射笠６を天井に設けられた取付孔２０へ取り付ける際に反射笠６周囲の鍔部８との間において天井材を挟持するもので、ステンレス材料等の厚さ０．５ｍｍ程度の薄板状のばね材料にて形成されている。この取付バネ５、５は、上記本体枠１１における略コ字状の対向片それぞれに設けられている横長の切起し孔１８それぞれに保持させて装着され、天井材をばね性をもって狭持することができる。
【００２６】
したがって、以上説明したダウンライト１によると、器具本体２に設けられている天井材を狭持する取付バネ５下方において天井に設けられた取付孔２０周囲に密着される枠部３に、光源ランプを覆う筒状の反射笠６の下向き開口７周縁に設けられた外向きの鍔部８が接合されるようにして形成されるので、合成樹脂製の反射笠６を高気密住宅向けと一般住宅向けの２種類の製品に適切に使用することができる。
【００２７】
そして、器具本体２と反射笠６とが、反射笠６の開口７周縁の外向きの鍔部８上面に配設された上向きの突起８１と、天井に設けられた取付孔２０周囲に密着される枠部３に設けられた透孔３１とが嵌合されて一体化されるようになるので、高気密住宅向けと一般住宅向けの２種類の製品を容易に形成できる。
【００２８】
また、鍔部８周方向に離間させて設けられた突起８１が、天井に設けられた取付孔２０内側において器具本体２取付時の位置決めとなるので、高気密住宅向けと一般住宅向けのそれぞれの製品において施工性の向上ができる。
【００２９】
また、器具本体２取付時の位置決めが、天井に設けられた取付孔２０内側において、当該取付孔２０に沿うよう鍔部８周方向に離間させて設けられたリブ形状の突起８１と嵌合される、板金部材による枠部３の透孔３１を切曲げ加工する際にその透孔３１に沿い枠部３に一体形成された舌片３２にてなされるので、位置決めがより確実となり、以って、高気密住宅向けにおいて気密性をより向上できる。
【００３０】
なお、本発明のダウンライトは、上記のもの以外に、例えば図６に示すように白木、桐などの木質材料製の鍔部８の下面を覆う木枠１９を鍔部８に装着させて施工状態の美観を向上させたもの、あるいは、以上説明した反射笠、枠部などの全体形状を四角状にしたもの等、各種構成のものを含むことは言うまでも無い。
【図面の簡単な説明】
【００３１】
【図１】本願発明の一実施形態であるダウンライトの概略構成を示す斜視図。
【図２】同ダウンライトの要部である、鍔部及び枠部を示す説明図。
【図３】同ダウンライトの器具本体の取り付け構造を示す説明図。
【図４】同ダウンライトの一般住宅向製品の概略構成を示す斜視図。
【図５】同ダウンライトの器具本体の取り付け構造を示す説明図。
【図６】同ダウンライトの別実施例の概略構成を示す斜視図。
【図７】従来例であるダウンライトの全体を示す斜視図。
【符号の説明】
【００３２】
１      ダウンライト
２      器具本体
３      枠部
３１      透孔
３２      舌片
５      取付バネ
８      鍔部
２０      取付孔
【図１】
2005276703.tif 000003
【図２】
2005276703.tif 000004
【図３】
2005276703.tif 000005
【図４】
2005276703.tif 000006
【図５】
2005276703.tif 000007
【図６】
2005276703.tif 000008
【図７】
2005276703.tif 000009